【手続補正書】
【提出日】令和1年5月17日(2019.5.17)
【手続補正１】
【補正対象書類名】特許請求の範囲
【補正対象項目名】全文
【補正方法】変更
【補正の内容】
【特許請求の範囲】
【請求項１】
印刷対象となる画像を記憶する画像処理装置と、無線ＬＡＮ接続のための固定の認証情報により第１のアクセスポイントとして動作することが可能であり且つ前記画像処理装置から無線ＬＡＮを介して送信される前記画像を印刷する印刷装置と、を備える画像印刷システムであって、
前記印刷装置は、
前記印刷装置が前記第１のアクセスポイントとして動作することで、前記印刷装置と通信せずに前記固定の認証情報を記憶している前記画像処理装置との無線ＬＡＮ接続を行う第１のモード、または、前記印刷装置と前記画像処理装置とは異なる第２のアクセスポイントを介して前記画像処理装置との無線ＬＡＮ接続を行う第２のモードに通信モードを切換える切換手段と、
前記通信モードが前記第１のモードに切り替わった場合に、前記固定の認証情報に含まれる特定のＳＳＩＤを含ませた、ビーコン信号を送出する送出手段と、を含み、
前記画像処理装置は、
印刷対象となる前記画像に対するユーザからの印刷指示を受け付けた場合に、ビーコン信号の検出を行う検出手段と、
前記検出手段が前記特定のＳＳＩＤを含むビーコン信号を検出した場合には、前記印刷装置が前記第１のモードで動作していると判定し、前記固定の認証情報を用いて前記印刷装置との間で前記第２のアクセスポイントを介さない接続を確立させて、印刷対象となる前記画像を前記印刷装置に送信する送信手段と、を含む
ことを特徴とする画像印刷システム。
【請求項２】
前記送信手段は、
前記検出手段が前記特定のＳＳＩＤを含むビーコン信号を検出しない場合には、前記印刷装置が前記第２のモードで動作していると判定し、前記印刷装置との間で前記第２のアクセスポイントを介した接続を確立させて、前記画像を前記印刷装置に送信する
請求項１に記載の画像印刷システム。
【請求項３】
前記画像処理装置は、
印刷対象となる前記画像に対するユーザからの印刷指示を受け付けた場合に、前記印刷装置に対して、前記第２のモードによる接続を要求する接続要求を行う要求手段をさらに備え、
前記検出手段は、
前記接続要求によって前記印刷装置との前記第２のアクセスポイントを介した接続が確立された場合には、ビーコン信号の検出を行わず、
前記送信手段は、
前記第２のアクセスポイントを介して前記画像を前記印刷装置に送信する
請求項１または請求項２に記載の画像印刷システム。
【請求項４】
前記切換手段は、
前記第２のモードによる接続を要求する前記接続要求を前記画像処理装置から受信した場合には、前記通信モードを前記第２のモードに切換える
請求項３に記載の画像印刷システム。
【請求項５】
前記固定の認証情報は前記特定のＳＳＩＤとパスワードとを少なくとも含む
請求項１から請求項４のうちのいずれか１項に記載の画像印刷システム。
【請求項６】
前記送信手段は、
前記検出手段が検出したビーコン信号に前記特定のＳＳＩＤが含まれないと判定した場合には、
前記印刷装置に前記特定のＳＳＩＤを含ませたＰｒｏｂｅＲｅｑｕｅｓｔ信号を送出し、当該ＰｒｏｂｅＲｅｑｕｅｓｔ信号に対するＰｒｏｂｅＲｅｓｐｏｎｓｅ信号が前記印刷装置から得られた場合には、前記印刷装置が前記第１のモードで動作していると判定し、前記固定の認証情報を用いて前記第２のアクセスポイントを介さずに前記印刷装置との接続を確立させる
請求項１から請求項５のうちのいずれか１項に記載の画像印刷システム。
【請求項７】
印刷対象となる画像を無線ＬＡＮで接続された印刷装置に送信する画像処理装置であって、
印刷対象となる前記画像に対するユーザからの印刷指示を受け付けた場合に、前記印刷装置から送出されるビーコン信号の検出を行う検出手段と、
前記検出手段が特定のＳＳＩＤを含むビーコン信号を検出した場合には、前記特定のＳＳＩＤを含む認証情報であって前記印刷装置と通信せずに記憶している固定の認証情報を用いて、前記印刷装置との間で前記印刷装置とは異なるアクセスポイントを介さない接続を確立させて、印刷対象となる前記画像を前記印刷装置に送信する送信手段と、を含む
ことを特徴とする画像処理装置。
【請求項８】
前記送信手段は、
前記検出手段が前記特定のＳＳＩＤを含むビーコン信号を検出しない場合には、前記印刷装置との間で前記アクセスポイントを介した接続を確立させて、前記画像を前記印刷装置に送信する
請求項７に記載の画像処理装置。
【請求項９】
印刷対象となる前記画像に対するユーザからの印刷指示を受け付けた場合に、前記印刷装置に対して、前記アクセスポイントを介した接続を要求する接続要求を行う要求手段をさらに備え、
前記検出手段は、
前記接続要求によって前記印刷装置との前記アクセスポイントを介した接続が確立された場合には、ビーコン信号の検出を行わず、
前記送信手段は、
前記アクセスポイントを介して前記画像を前記印刷装置に送信する
請求項７または請求項８に記載の画像処理装置。
【請求項１０】
前記固定の認証情報は前記特定のＳＳＩＤとパスワードとを少なくとも含む
請求項７から請求項９のうちのいずれか１項に記載の画像処理装置。
【請求項１１】
前記送信手段は、
前記検出手段が検出したビーコン信号に前記特定のＳＳＩＤが含まれないと判定した場合には、
前記印刷装置に前記特定のＳＳＩＤを含ませたＰｒｏｂｅＲｅｑｕｅｓｔ信号を送出し、当該ＰｒｏｂｅＲｅｑｕｅｓｔ信号に対するＰｒｏｂｅＲｅｓｐｏｎｓｅ信号が前記印刷装置から得られた場合には、前記固定の認証情報を用いて、前記アクセスポイントを介さずに前記印刷装置との接続を確立させる
請求項７から請求項１０のうちのいずれか１項に記載の画像処理装置。
【請求項１２】
印刷対象となる画像を記憶する画像処理装置と、無線ＬＡＮ接続のための固定の認証情報により第１のアクセスポイントとして動作することが可能であり且つ前記画像処理装置から無線ＬＡＮを介して送信される前記画像を印刷する印刷装置と、を備える画像印刷システムにおける画像印刷方法であって、
前記印刷装置が、前記印刷装置が前記第１のアクセスポイントとして動作することで、前記印刷装置と通信せずに前記固定の認証情報を記憶している前記画像処理装置との無線ＬＡＮ接続を行う第１のモード、または、前記印刷装置と前記画像処理装置とは異なる第２のアクセスポイントを介して前記画像処理装置との無線ＬＡＮ接続を行う第２のモードに通信モードを切換える切換ステップと、
前記印刷装置が、前記通信モードが前記第１のモードに切り替わった場合に、前記固定の認証情報に含まれる特定のＳＳＩＤを含ませた、ビーコン信号を送出する送出ステップと、
前記画像処理装置が、印刷対象となる前記画像に対するユーザからの印刷指示を受け付けた場合に、ビーコン信号の検出を行う検出ステップと、
前記画像処理装置が、前記検出ステップにおいて前記特定のＳＳＩＤを含むビーコン信号が検出された場合に、前記印刷装置が前記第１のモードで動作していると判定し、前記固定の認証情報を用いて前記印刷装置との間で前記第２のアクセスポイントを介さない接続を確立させて、印刷対象となる前記画像を前記印刷装置に送信する送信ステップと、を含む
ことを特徴とする画像印刷方法。
【請求項１３】
印刷対象となる画像を無線ＬＡＮで接続された印刷装置に送信する画像処理装置における画像印刷方法であって、
印刷対象となる前記画像に対するユーザからの印刷指示を受け付けた場合に、前記印刷装置から送出されるビーコン信号の検出を行う検出ステップと、
前記検出ステップにおいて特定のＳＳＩＤを含むビーコン信号が検出された場合には、前記特定のＳＳＩＤを含む認証情報であって前記印刷装置と通信せずに記憶している固定の認証情報を用いて、前記印刷装置との間で前記印刷装置とは異なるアクセスポイントを介さない接続を確立させて、印刷対象となる前記画像を前記印刷装置に直接送信する送信ステップと、を含む
ことを特徴とする画像印刷方法。
【請求項１４】
コンピュータを請求項７から請求項１１のうちのいずれか１項に記載の画像処理装置として機能させるためのプログラム。